(57)【要約】【課題】外観的には自立可能な飾り箱形態を採り、正面視では額縁付き状に一枚の写真が飾られ、その他の写真は、複数枚の台紙を使用して整理し、これを囲壁によって囲まれる空間内に隠蔽状に収納するようにした記念写真用に好適するアルバムを提供する。【解決手段】おもて表紙２とうら表紙３を背表紙４を介して連設し、おもて表紙２に開口窓５を設けるとともに、おもて表紙２の裏面に当板６を取着しておもて表紙２間に写真入れ７を形成し、当板６の内縁を除いて当板６の上下両縁及び外縁からコ字状の囲壁８を立ち上げ、アルバムが閉じられた状態で、囲壁８で囲われる空間内にあって、うら表紙３の裏側に、複数枚の台紙９ａからなる台紙部９を着脱自在に装着した。【選択図】図１
0003108460.tif 000002
【実用新案登録請求の範囲】
【請求項１】
おもて表紙とうら表紙を背表紙を介して連設し、おもて表紙に開口窓を設けるとともに、おもて表紙の裏面に当板を取着しておもて表紙間に写真入れを形成し、当板の内縁を除いて当板の上下両縁及び外縁からコ字状の囲壁を立ち上げ、アルバムを閉じた状態で、囲壁で囲われる空間内にあって、うら表紙の裏側に、複数枚の台紙からなる台紙部を着脱自在に装着したことを特徴とするアルバム。
【請求項２】
囲壁を、おもて表紙の上下両縁及び外縁より内側に入り込ませて位置させ、囲壁回りにおもて表紙縁部を突出させたことを特徴とする請求項１記載のアルバム。
【請求項３】
うら表紙の裏面に高さ調整台板を取着し、該高さ調整台板に、台紙部の最下位台紙の上下両縁部が差し込まれる差込み溝を対向して設け、該差込み溝に対する最下位台紙の上下両縁部の差込み移動を、高さ調整台板に対し台紙部を水平移動させて行うことを特徴とする請求項１記載のアルバム。
【請求項４】
アルバムが開かれておもて表紙とうら表紙がほぼ水平位に展開した状態で、高さ調整台板面がおもて表紙側の当板面より稍高位置を採るように、当板及び高さ調整台板の板厚を設定したことを特徴とする請求項３記載のアルバム。
【考案の詳細な説明】
【技術分野】
【０００１】
本考案は、写真の整理に使用されるアルバムに関するものであり、さらに詳しくは、アルバムを閉じた状態で写真立てにして身近に置いて、写真の一枚はいつでも見られるように飾ることができるアルバムに関するものである。
【背景技術】
【０００２】
従来より、アルバムは、結婚式、七五三、成人式等の記念写真用として、また、子供の成長記録や旅行の記録などの想い出の写真を保存、整理するのに広く使用されている。
【０００３】
アルバムの一般的な構造としては、厚手のおもて表紙とうら表紙との間に複数枚の台紙が綴られていて、台紙をめくるごとに、見開きで台紙に貼られた写真が見られるようになっており、これらのアルバムは、普段は、本棚等に収納されていて、見たい時に収納先から取り出してきて眺め、見終わると収納先に戻されることがほとんどである。
【０００４】
また、写真の整理と、好みの写真が身近かにいつでも見られるように飾ることができるアルバムとして、紙、合成樹脂等の厚手の板材に折り目を付け、おもて表紙とうら表紙を背表紙でつなぎ、おもて表紙に開口窓を、背表紙の内側には複数枚の透明のフイルムでつくられた袋状の写真入れを取り付け、おもて表紙の折返しがうら表紙上まで及ぶようにした写真立てとして利用できるアルバムが提案されている。（特許文献１参照）。
【０００５】
この構成のアルバムは、アルバムを閉じた状態で写真立てとして自立させることができるので、開口窓に近い位置の写真入れに好みの写真を入れれておけば、写真立てとして利用でき、その他の写真は写真入れに入れて整理することができるので、簡易アルバムとして最適とされている。
【特許文献１】実用新案登録第３０５９３０５号公報。
【考案の開示】
【考案が解決しようとする課題】
【０００６】
しかしながら、結婚式等の冠婚葬祭等で撮られるような記念写真用のアルバムは、専門の業者によって編集され、豪華にできていて高価なものであり、部数にしても近親者に配布される程度しかつくられず、使用される平均的な写真サイズにしても、通常のＬ版と呼ばれるサイズよりも大きく、六切りあるいは四切りサイズに引き延ばされた大型サイズの写真を主体とするので、このような記念写真を集めたアルバムは、必然的にアルバム自体も大型となる。従って、記念写真のような大型サイズの写真を、前記するような簡易アルバム形式の写真立てを使用して飾るとなれば、アルバム自体には豪華さがないので、写真との適合性を欠くものである。
【０００７】
そこで、本考案に係るアルバムは、外観的には自立可能な飾り箱形態を採り、正面視では額縁付き状に一枚の写真が飾られ、その他の写真は、複数枚の台紙を使用して整理し、これを囲壁によって囲まれる空間内に隠蔽状に収納するようにした記念写真用に好適するアルバムを提供することを目的としたものである。
【課題を解決するための手段】
【０００８】
上記の目的を達成するための本考案に係るアルバムは、おもて表紙とうら表紙を背表紙を介して連設し、おもて表紙に開口窓を設けるとともに、おもて表紙の裏面に当板を取着しておもて表紙間に写真入れを形成し、当板の内縁を除いて当板の上下両縁及び外縁からコ字状の囲壁を立ち上げ、アルバムが閉じられた状態で、囲壁で囲われる空間内にあって、うら表紙の裏側に、複数枚の台紙からなる台紙部を着脱自在に装着したことを特徴とする。
【０００９】
このように構成した本考案に係るアルバムによれば、おもて表紙と当板間に形成した写真入れに好みの写真を挿入し、その他の写真は台紙部の各台紙を使用して保存、整理する。
【００１０】
こうして、写真立てに使用する時は、アルバムを閉じた状態で載置面に立てると、おもて表紙、うら表紙及び背表紙の各表紙下縁が、載置面に対してコの字状に面的拡がりを有して接してアルバムを自立させて写真立てとして機能する。
【００１１】
この際、閉じられたおもて表紙とうら表紙は囲壁上を覆い、台紙部は囲壁内空間に隠蔽状に収納されて外からは見えず、アルバム全体が薄型の飾り箱形態を呈して豪華さをかもし出すので、おもて表紙の開口窓に見る写真は、あたかも立体的な薄型で奥行きのある豪華な額縁で引き立てられるように見せて見栄えを良くする。
【００１２】
また、台紙部を使用して保存、整理された写真を見る時は、普通のアルバム同様に、アルバムを開くと、おもて表紙と一体に囲壁がうら表紙から離れ、うら表紙上に台紙部が現れるので、各台紙をめくって台紙に貼られた写真を見開きで見ることができる。
【００１３】
前記構成において、囲壁をおもて表紙の上下両縁及び外縁より内側に入り込ませて位置させ、囲壁回りにおもて表紙縁部を突出させた構成すると、アルバムを閉じた状態で、おもて表紙とうら表紙間に挟み込まれる囲壁は、両表紙の縁部から内側に引っ込み、両表紙縁部が共に囲壁回りに外向きに突出するので、薄型の飾り箱形態をなすアルバムとして一層、豪華さを増し、外圧に対する形態的安定性が向上して堅牢性を発揮し、写真立てとして自立させる時は、囲壁面は載置面から確実に離されて自立安定性を向上する。
【００１４】
前記構成において、うら表紙の裏面に高さ調整台板を取着し、該高さ調整台板に、台紙部の最下位台紙の上下両縁部が差し込まれる差込み溝を対向して設け、該差込み溝に対する最下位台紙の上下両縁部の差込み移動を、高さ調整台板に対し台紙部を水平移動させて行うようにし、また、アルバムが開かれておもて表紙とうら表紙がほぼ水平位に展開した状態で、高さ調整台板面がおもて表紙側の当板面より稍高位置を採るように、当板及び高さ調整台板の板厚を設定した構成にすると、台紙部が高さ調整台板上のの定位置に装着された状態では、台紙部の最下位台紙の上下両縁部が差込み溝の最深部まで差し込まれて位置的に安定するので、台紙部に整理された写真を見る時は、普通のアルバム同様に、各台紙をめくって台紙に貼られた写真が見開きで見ることができる。
【００１５】
また、高さ調整台板上から台紙部を外す必要がある時は、アルバムを開き、おもて表紙とうら表紙を展開させて両表紙を水平位にした状態で、台紙部を高さ調整台板上からおもて表紙側の当板上に水平移動させて簡単に取り外すことができる。
【００１６】
こうして、台紙部の最下位台紙の上下両縁部を差込み溝に抜き差しして行う台紙部の着脱作業は、台紙部の各台紙の綴込み背部を、背表紙部を挟んで高さ調整台板面と、ほぼ高さをなすおもて表紙側の当板面に摺接移動させる要領でできるので、台紙部の脱着には、作業の巧拙がなく誰にでも簡単にできる。
【考案の効果】
【００１７】
以上述べたように、本考案に係るアルバムによれば、おもて表紙と当板間に形成した写真入れに好みの写真を挿入し、アルバムを閉じた状態で、写真立てに使用する時は、おもて表紙、うら表紙及び背表紙の各下縁がコの字状に面的拡がりを有して載置面に接してアルバムを自立させる。こうして、台紙部は囲壁によって隠蔽されて、アルバム全体が薄型の飾り箱形態を呈し豪華さをかもし出すので、おもて表紙の開口窓に見る写真は、あたかも立体的な薄型で奥行きのある豪華な額縁で引き立てられるように見せて見栄えを良くする。
【００１８】
また、アルバムを閉じた状態で、おもて表紙とうら表紙間に挟まる囲壁が両表紙縁部から内側に引っ込んで両表紙縁部が共に囲壁回りに外向きに突出させる構成にすると、箱形態をなすアルバムとして、外圧に対する形態的安定性が向上して堅牢性を発揮し、写真立てとして自立させる時は、囲壁面が載置面に接することがなく自立安定性を向上する。
【００１９】
また、普通のアルバム同様に、台紙に貼られた写真を見る時は、おもて表紙を開くと、おもて表紙と一体に囲壁が台紙部から離れて、うら表紙上に台紙部を現わすので、各台紙をめくって台紙に貼られた写真を見開きで見ることができる。
【考案を実施するための最良の形態】
【００２０】
以下、図面を参照しながら、本考案の実施例に係るアルバムについて具体的に説明する。
【実施例１】
【００２１】
図１は記念写真用のアルバムの半開き状態を示す斜視図、図２は展開した状態を示す中央部横断面図、図３は台紙部をアルバムに着脱する要領を説明するための要部の斜視図である。
【００２２】
図において、アルバム１のおもて表紙２とうら表紙３は背表紙４を介して連設している。おもて表紙２に開口窓５を設け、おもて表紙２の裏面に当板６を取着して当板６とおもて表紙２間に写真入れ７を形成し、この写真入れ７を当板６の上縁部で外部に開口させている。
【００２３】
図示はしていないが、開口窓５の内側には透明薄板を張設し、写真入れ７に挿入される写真Ａを開口窓５部で透視可能にカバーするようにしている。
【００２４】
また、図示はしていないが、前記するおもて表紙２、うら表紙３及び背表紙４は、厚紙の表面に化粧紙を貼り付けたもので、芯材となる厚紙は、これら各表紙２,３,４が容易に折れ曲がらないように十分な厚さのあるものを使用し、化粧紙の外縁部は各表紙２,３,４の縁部裏側にそれぞれ折り返して貼り付けて縁部処理を行い、各表紙２,３,４の見栄えをよくしている。なお、化粧紙には、普通、薄紙を使用するが、布やビニール、皮革といったシート類であってもよい。
【００２５】
当板６には、その背表紙４側の内縁を除いて、その上下両縁と外縁からコ字状に連続する囲壁８を立ち上げている。この囲壁８の高さは、アルバム１を閉じた状態、つまり、おもて表紙２とうら表紙３が閉じられて囲壁８を両表紙２,３間に挟み込んだ状態で、両表紙２,３がほぼ平行になるように設定されている。
【００２６】
囲壁８は当板６と一体構成のものであっても、別体構成のものでもよく、この囲壁８も、前記するおもて表紙２やうら表紙３と同様に、厚紙の表面に化粧紙を貼り付けたもので、芯材となる厚紙は、おもて表紙２やうら表紙３から掛かる圧力に対して容易に変形が生じないないように、十分な厚さのあるものを用いる。化粧紙についても同様である。
【００２７】
要するに、記念写真用のアルバム１として、保存、整理される写真に相応しく、アルバム自体が興趣に富み、且つ、豪華な雰囲気をかもし出せるように、アルバム構成部材はアルバム全体のデザイン等を配慮して選定される。
【００２８】
また、囲壁８は、対応するおもて表紙２の上下両縁及び外縁より内側に入り込ませ、おもて表紙２の上下両縁部２ａ,２ｂ及び外縁部２ｃを囲壁８回りから外向きに僅かに突出させ、アルバム１が閉じられて囲壁８上を覆ううら表紙３にしても、おもて表紙２と対向的に、その各縁部３ａ,３ｂ,３ｃを囲壁８回りから外向きに突出させている。
【００２９】
こうして、両表紙２,３間に挟み込まれる囲壁８に対し、両表紙２,３を介して掛けられる外圧は、両表紙２,３回りの端縁から内側に寄せた位置から掛けられるようになり、両表紙２,３の縁部の変形を防止して外圧に対する両表紙２，３の形態的安定性を向上して堅牢性を発揮する。また、両表紙２,３回りの端縁から内側に寄せた位置にある囲壁８は、写真立てとして自立させる時に、囲壁８面が載置面に接することはない。
【００３０】
従って、写真入れ７に、一枚の好みの写真（お気に入り写真）を挿入し、アルバム１を閉じて写真立てとして適宜の載置面に自立させる時は、おもて表紙２、うら表紙３及び背表紙４の各下縁がコ字状に面的拡がりを有して載置面に接してアルバムを自立させて自立安定性を向上する。しかも、アルバム全体が薄型の飾り箱形態を呈して豪華さをかもし出し、おもて表紙２の開口窓５に見る写真Ａは、あたかも立体的な薄型で奥行きのある豪華な額縁で引き立てられるように見せて見栄えを良くする。
【００３１】
前記するように、アルバム１を閉じた状態、すなわち、おもて表紙２とうら表紙３で囲壁８を挟み込んだ状態で、囲壁８で囲われる空間内にあって、うら表紙３の裏面に、複数枚の台紙９ａを綴ってなる台紙部９を着脱自在に装着している。
【００３２】
台紙部９の大きさは、おもて表紙２とうら表紙３を閉じて囲壁８に囲われる空間内に余裕を持って収まる大きさに設定したもので、台紙部９の構成は、従来公知のものを適用することができる。
【００３３】
すなわち、実施例１の台紙部９は、２頁分の幅を有する複数枚の台紙２ａを中央部で折り返えし、この折り返し部が同じ側となるように重ね合わせ、隣り合う台紙の重ね合わせ面を互いに貼着し、折り返し部の外端縁を綴込み背部１０として一体化したものである。
【００３４】
従って、台紙部９を構成する一枚の台紙９ａの内面は２頁に跨る面構成で台紙部９を構成している。
【００３５】
台紙部９を脱着自在に装着するために、実施例１では、うら表紙３の裏面に、高さ調整台板１１を取着し、この高さ調整台板１１上に、台紙部９の最下位台紙９ａの上下両縁部が差し込まれる差込み溝１２を対向して設けている。
【００３６】
差込み溝１２として、実施例１では、金属板またはプラスチック資材からなり、細長い矩形板状の背板部１３ａの両脇に、細長い矩形板状の支持板部１３ｂを平行状に形成し、断面コ字状にして横向きに溝口を開口させた溝部材１３を用いている。この２本の溝部材１３を高さ調整台板の上下両縁沿いに配置して両部材１３の溝口を向かい合わせ、両部材１３のそれぞれ片方の支持板部１３ｂを高さ調整台板１１面に固着している。
【００３７】
また、高さ調整台板１１の高さは、アルバム１が開かれておもて表紙２とうら表紙３がほぼ水平位に展開した状態で、おもて表紙２側の当板６面より稍高位置を採るように設定している。
【００３８】
差込み溝１２を使用しての台紙部９の装着は、高さ調整台板１１の内縁側の差込み溝１２端部から、台紙部９の最下位台紙９ａの上下両縁部を差し込んで図３に示すように、台紙部９を高さ調整台板１１に対して水平移動させ、台紙部９が、高さ調整台板１１上の定位置に装着された状態で、２本の溝部材１３の内端が台紙部９の最下位台紙９ａの綴込み背部１０に内側から突き当たり、台紙部９の綴込み背部１０が、高さ調整台板１１の内縁部に臨んで台紙部９が完全に高さ調整台板１１上に載って安定する。
【００３９】
こうして、台紙部９が高さ調整台板１１上の定位置に装着された状態では、台紙部９の最下位台紙９ａの上下両縁部は差込み溝１２の最深部まで差し込まれて位置的に安定するので、アルバム１が開かれて、台紙部９を使用して保存、整理された写真を見る時は、普通のアルバム同様に各台紙９ａをめくって台紙９ａに貼られた写真が見開きで見ることができる。
【００４０】
高さ調整台板１１上から台紙部９を外す時は、アルバム１を開いた状態で、台紙部９を高さ調整台板１１上からおもて表紙２側の当板６上に水平移動させて最下位台紙９ａの上下両縁部を差込み溝１２から抜き取ることで、簡単に外すことができる。この時、台紙部９の綴込み背部１０を、背表紙４部を挟んで高さ調整台板１１面とほぼ同じ高さをなすおもて表紙２側の当板６面上に摺接移動させることができるので、台紙部９の脱着は、作業の巧拙がなく誰にでも簡単にできる。
【００４１】
なお、台紙部９については、これを予め、複数部を別途、用意しておけば、多くの写真を整理するのに、場所を取らずに整理をし易くする。
【００４２】
前記構成のアルバム１では、アルバム１を閉じ位置に保持するために留め具１４を必要とする。この留め具１４には、特に、構造的な制限はないが、実施例１では、市販の永久磁石の磁力を使用する留め具１４を使用している。この場合の永久磁石を備える留め具１４の本体部を、おもて表紙２の外縁対応する囲壁８の中央部内壁面に取着し、これに対応して留め具１４の本体部に吸着される吸着板１４ａを、うら表紙３の裏面に取着している。こうしてアルバム１は、外的人力による開き操作がない限りは、留め具１４の強力な磁力によって閉じ位置に保持される。
【産業上の利用可能性】
【００４３】
本考案に係るアルバムは、アルバムを閉じて一枚の好みの写真を開口窓から見せる写真立てに使用する時は、アルバム全体が薄型の飾り箱形態を呈し、開口部に見る写真を奥行きのある豪華な額縁で引き立てられるように見せ、アルバムを開く時は、普通のアルバム同様に台紙を使用して写真の保存、整理ができるので、特に、貴重とされるサイズ的に大きな記念写真などを、身近なところで簡単に見られるように整理しておくのに有用なものである。
【図面の簡単な説明】
【００４４】
【図１】記念写真用のアルバムの半開き状態を示す斜視図である。
【図２】展開した状態を示す中央部横断面図である。
【図３】台紙部をアルバムに着脱する要領を説明するための要部の斜視図である。
【符号の説明】
【００４５】
１  アルバム
２  おもて表紙
２ａ  上縁部
２ｂ  下縁部
２ｃ  外縁部
３  うら表紙
３ａ  上縁部
３ｂ  下縁部
３ｃ  外縁部
４  背表紙
５  開口窓
６  当板
７  写真入れ
８  囲壁
９  台紙部
９ａ  台紙
１０  綴込み背部
１１  高さ調整台板
１２  差込み溝
１３  溝部材
１３ａ  背板部
１３ｂ  支持板部
１４  留め具
１４ａ  吸着板
【図１】
0003108460.tif 000003
【図２】
0003108460.tif 000004
【図３】
0003108460.tif 000005